(57)【要約】  出力軸３３を有する出力部３０と、出力軸３３に垂直な面に沿って延在する第一ウォーム４０及び第二ウォーム５０と、を備え、出力部３０は、第一ウォーム４０に歯合して出力軸３３を所定の回転軸３３ａの周りに回転させる回転機構３４ａと、第二ウォーム５０に歯合して出力軸３３を回転軸３３ａに直交する方向に移動させる移動機構３９と、を有し、第一ウォーム４０と第二ウォーム５０とは出力軸３３を挟むように配置され、第二ウォーム５０と出力軸３３との距離が第一ウォーム４０と出力軸３３との距離より短いことを特徴とする。
2017110426.tif 000002
【特許請求の範囲】
【請求項１】
出力軸を有する出力部と、前記出力軸に垂直な面に沿って延在する第一ウォーム及び第二ウォームと、を備え、
前記出力部は、前記第一ウォームに歯合して前記出力軸を所定の回転軸の周りに回転させる回転機構と、前記第二ウォームに歯合して前記出力軸を前記回転軸に直交する方向に移動させる移動機構と、を有し、
前記第一ウォームと前記第二ウォームとは前記出力軸を挟むように配置され、
前記第二ウォームと前記出力軸との距離が前記第一ウォームと前記出力軸との距離より短い
ことを特徴とするアクチュエータ。
【請求項２】
前記移動機構は、前記出力部のうち前記第二ウォームと対向する面に形成されて前記第二ウォームと歯合する斜歯ラックを有する
ことを特徴とする請求項１に記載のアクチュエータ。
【請求項３】
前記斜歯ラックが前記出力軸と前記第二ウォームとを最短で結ぶ線上に形成される
ことを特徴とする請求項２に記載のアクチュエータ。
【請求項４】
回路基板を有し、前記回路基板の一方の面側に前記第一ウォームと前記第二ウォームとが配置され、
前記回路基板上に配置される電子部品のうち前記第一ウォームまたは前記第二ウォームが配置される位置よりも突出して配置される電子部品が前記第二ウォームの前記出力軸とは反対側に配置される
ことを特徴とする請求項１から３のいずれか１項に記載のアクチュエータ。
【請求項５】
請求項１〜４のいずれか１項に記載のアクチュエータと、
光源を有し前記アクチュエータの前記出力軸に接続されるランプユニットと、を備える
ことを特徴とする灯具。
【請求項６】
軸受と、前記軸受を収容する軸受収容部と、を備え、
前記軸受収容部は、前記軸受が使用されるときに保持される軸受保持空間を有し、
前記軸受が外部から前記軸受保持空間に挿入されるときの前記軸受に挿通される軸の長手方向を第一軸心方向とし、前記軸受が使用されるときの前記軸受に挿通される軸の長手方向を第二軸心方向とするとき、前記第一軸心方向と前記第二軸心方向とは互いに交わる方向であり、
前記軸受保持空間は、前記軸受に挿通される軸の長手方向が前記第一軸心方向から前記第二軸心方向になるように前記軸受が回転可能な空間であり、
前記軸受保持空間を形成する内壁は、前記軸受が使用されるときに前記第二軸心方向への前記軸受の移動を規制する
ことを特徴とする自動調心軸受機構。
【請求項７】
前記軸受収容部のうち前記第一軸心方向に沿った一方側は、前記軸受が前記外部から前記軸受保持空間に到達するまでの区間において、少なくとも前記軸受に挿通される軸が通る幅で開放されている
ことを特徴とする請求項６に記載の自動調心軸受機構。
【請求項８】
前記軸受の外形は、前記軸受に挿通される軸の長手方向において中央部が両端部よりも突出した湾曲面である
ことを特徴とする請求項６または７に記載の自動調心軸受機構。
【請求項９】
前記第一軸心方向と前記第二軸心方向とが直交している
ことを特徴とする請求項６から８のいずれか１項に記載の自動調心軸受機構。
【請求項１０】
請求項６から９のいずれか１項に記載の自動調心軸受機構を有する出力部を備え、
前記出力部は前記軸受に挿通されるガイドシャフトに沿って移動する
ことを特徴とするアクチュエータ。
【請求項１１】
請求項１０に記載のアクチュエータと、
光源を有し前記アクチュエータの前記出力部に接続されるランプユニットと、を備える
ことを特徴とする灯具。
【請求項１２】
回転部材を支持体に回転可能に固定する固定部材であって、
前記回転部材の回転軸方向の移動を規制するように前記回転部材を保持し、
前記回転部材が回転可能なように前記回転部材を保持する内周面と、
前記支持体に係合する係合部が設けられる外周面と、を備える
ことを特徴する固定部材。
【請求項１３】
前記回転軸周りに回転させられることで前記係合部が前記支持体に係合して固定される
ことを特徴する請求項１２に記載の固定部材。
【請求項１４】
出力軸を有する出力部と、前記出力軸を回転させるウォームと、を備え、
前記ウォームは、固定部材によって回転軸方向の移動を規制されつつ前記出力部に回転可能に固定され、
前記固定部材は、前記ウォームが回転可能なように前記ウォームを保持する内周面と、前記出力部に係合される係合部が設けられる外周面と、を有し、
前記固定部材は前記係合部が前記出力部に係合して固定される
ことを特徴するアクチュエータ。
【請求項１５】
前記出力軸を露出させて前記出力部及び前記ウォームを収容する筐体を備え、
前記出力部及び前記ウォームは前記出力軸の回転軸に直交する所定の方向に共に移動可能であり、
前記固定部材は前記筐体に当接しており、
前記出力部及び前記ウォームが前記所定の方向に共に移動するときに前記固定部材が前記筐体に対して摺動する
ことを特徴とする請求項１４に記載のアクチュエータ。
【請求項１６】
請求項１４または１５に記載のアクチュエータと、
光源を有し前記アクチュエータの前記出力軸に接続されるランプユニットと、を備える
ことを特徴とする灯具。
【発明の詳細な説明】
【技術分野】
【０００１】
本発明は、固定部材、自動調心軸受機構、アクチュエータ及び当該アクチュエータを備える灯具に関する。
【背景技術】
【０００２】
車両用前照灯の中には、適宜、出射する光の方向を変更できる機能を有するものがある。車両用前照灯から出射される光の方向は、例えば乗員又は積載物の重量変化や加減速による車両姿勢の変化に応じて、上下方向に変化されることが好ましい。また、車両が左右に旋回するときには、車両用前照灯から出射される光の方向がその旋回に合わせて左右に振られることにより、車両の進行方向が照らされることが好ましい。このような光の出射の方向を変更する機能を実現する方法としては、光源を備えるランプユニットを自在に動かすアクチュエータを用いる方法が挙げられる。当該アクチュエータは、ランプユニットを動かすことによってランプユニットから出射される光の方向を左右方向や上下方向に動かせるように構成される。【０００３】
上記アクチュエータとしては、例えば下記特許文献１に開示されているものがある。下記特許文献１には、ランプユニットに接続される出力軸と、当該出力軸を所定の回転軸周りに回転させるウォームギアと、当該回転軸に対して直交する方向に出力軸を移動させるウォームギアと、を備えるアクチュエータが開示されている。当該アクチュエータは、出力軸を回転させる機構と当該回転の回転軸に対して直交する方向に出力軸を移動させる機構とが一体となることで、小型化が図られている。【０００４】
【特許文献１】特許第５７７９４７９号公報
【発明の概要】
【０００５】
本発明のアクチュエータは、出力軸を有する出力部と、前記出力軸に垂直な面に沿って延在する第一ウォーム及び第二ウォームと、を備え、前記出力部は、前記第一ウォームに歯合して前記出力軸を所定の回転軸の周りに回転させる回転機構と、前記第二ウォームに歯合して前記出力軸を前記回転軸に直交する方向に移動させる移動機構と、を有し、前記第一ウォームと前記第二ウォームとは前記出力軸を挟むように配置され、前記第二ウォームと前記出力軸との距離が前記第一ウォームと前記出力軸との距離より短いことを特徴とする。
【０００６】
上記アクチュエータにおいて、第二ウォームは、出力部に設けられる移動機構と歯合して出力軸の回転軸に直交する方向に出力軸を移動させる。このとき、回転軸には、第二ウォームの回転方向の力も加わる。しかし、上記アクチュエータは、出力軸と第二ウォームとの距離が短いため、第二ウォームから出力軸へと伝わる上記力は小さく、出力軸のがたつきが抑制される。
【０００７】
また、上記アクチュエータにおいて、前記移動機構は、前記出力部のうち前記第二ウォームと対向する面に形成されて前記第二ウォームと歯合する斜歯ラックを有することが好ましい。
【０００８】
斜歯ラックは、当該斜歯ラックと歯合するウォームとの距離が近くても、当該斜歯ラックを備える部材と当該ウォームとの相対的な移動範囲を確保しやすい。よって、出力軸を所定の方向に移動させる移動機構として、出力部に形成される斜歯ラックが用いられることによって、斜歯ラックが出力軸に近い位置に設けられても出力軸の移動範囲を確保することが容易である。従って、第二ウォームと出力軸とを近づけ易くなるので、出力軸のがたつきを抑制することがより容易になる。
【０００９】
また、上記アクチュエータにおいて、前記斜歯ラックが前記出力軸と前記第二ウォームとを最短で結ぶ線上に形成されることが好ましい。
【００１０】
移動機構として機能する斜歯ラックが出力軸と第二ウォームとを最短で結ぶ線上に形成されることによって、斜歯ラックと第二ウォームとが歯合する作用点と出力軸との距離が近くなり、出力軸のがたつきを抑制することがより容易になる。
【００１１】
また、上記アクチュエータは、回路基板を有し、前記回路基板の一方の面側に前記第一ウォームと前記第二ウォームとが配置され、前記回路基板上に配置される電子部品のうち前記第一ウォームまたは前記第二ウォームが配置される位置よりも突出して配置される電子部品が前記第二ウォームの前記出力軸とは反対側に配置されることが好ましい。
【００１２】
第二ウォームが出力軸側に寄せて配置されることによってできる空間にラジアル部品のような背が高い電子部品が配置されることによって、空間が有効利用され、アクチュエータの小型化が容易になる。
【００１３】
また、本発明の灯具は、上記アクチュエータと、光源を有し前記アクチュエータの前記出力軸に接続されるランプユニットと、を備えることを特徴とする。
【００１４】
ランプユニットに接続されるアクチュエータの出力軸のがたつきが上述したように抑制されることによって、ランプユニットの動作の安定性が向上する。
【００１５】
また、本発明の自動調心軸受機構は、軸受と、前記軸受を収容する軸受収容部と、を備え、前記軸受収容部は、前記軸受が使用されるときに保持される軸受保持空間を有し、前記軸受が外部から前記軸受保持空間に挿入されるときの前記軸受に挿通される軸の長手方向を第一軸心方向とし、前記軸受が使用されるときの前記軸受に挿通される軸の長手方向を第二軸心方向とするとき、前記第一軸心方向と前記第二軸心方向とは互いに交わる方向であり、前記軸受保持空間は、前記軸受に挿通される軸の長手方向が前記第一軸心方向から前記第二軸心方向になるように前記軸受が回転可能な空間であり、前記軸受保持空間を形成する内壁は、前記軸受が使用されるときに前記第二軸心方向への前記軸受の移動を規制することを特徴とする。
【００１６】
上記自動調心軸受機構において、軸受保持空間内に保持される軸受は、少なくとも、軸受に挿通される軸の長手方向が第一軸心方向から第二軸心方向になる範囲で回転することができる。すなわち、軸受は、軸受保持空間において軸受中心周りにある程度回転することができる。従って、上記自動調心軸受機構によれば、軸受に挿入される軸の方向が予定している向きに対してある程度傾いたとしても、軸受保持空間内に保持される軸受がその軸の傾きに追従することができるので、軸の芯出しが容易である。また、軸受が挿入されるときの向きと使用されるときの向きとが異なり、軸受が使用される向きでは軸受中心軸方向への軸受の移動が規制されるので、他の部材を用いなくとも軸受の挿入及び固定が可能である。
【００１７】
また、上記自動調心軸受機構において、前記軸受収容部のうち前記第一軸心方向に沿った一方側は、前記軸受が前記外部から前記軸受保持空間に到達するまでの区間において、少なくとも前記軸受に挿通される軸が通る幅で開放されていることが好ましい。
【００１８】
上記のように軸受収容部の一部が開放されていることによって、軸受に軸が挿通されたままで軸受を軸受保持空間まで通すことができ、且つ、軸受に軸が挿通されたままで軸受保持空間おいて軸受の中心軸が第一軸心方向から第二軸心方向になるように軸受を回転させることができる。よって、軸受に軸が挿通された状態で当該軸を持って軸受を移動及び回転させることができるので、軸受の設置が容易になる。
【００１９】
また、上記自動調心軸受機構において、前記軸受の外形は、前記軸受に挿通される軸の長手方向において中央部が両端部よりも突出した湾曲面であることが好ましい。
【００２０】
軸受の外形が上記のような曲面であることによって、軸受保持空間で軸受を回転させることが容易になる。また、軸受の外形が曲面であることによって、軸受保持空間の内壁と軸受との接触面積を大きくし易くなるので、軸受の移動を規制しやすくなる。
【００２１】
また、上記自動調心軸受機構において、前記第一軸心方向と前記第二軸心方向とが直交していることが好ましい。
【００２２】
上記のように、軸受は、使用されるときの向きでは移動が規制される。ここで、上記のように第一軸心方向と第二軸心方向とが直交している形態とされることによって、軸受保持空間に挿入されるときの軸受の向きと軸受が使用されるときの軸受の向きとが大きく異なるため、軸受が意図せず軸受保持空間から外れることが抑制されやすくなる。
【００２３】
また、本発明のアクチュエータは、上記自動調心軸受機構を有する出力部を備え、前記出力部は前記軸受に挿通されるガイドシャフトに沿って移動することを特徴とする。
【００２４】
上記のように構造が簡易な自動調心軸受機構を用いることによって、動作精度が高く生産性の良いアクチュエータとすることができる。
【００２５】
また、本発明の灯具は、上記アクチュエータと、光源を有し前記アクチュエータの前記出力部に接続されるランプユニットと、を備えることを特徴とする。
【００２６】
上記のように動作精度が高いアクチュエータを用いることによって、ランプユニットの動作が安定する。
【００２７】
また、本発明の固定部材は、回転部材を支持体に回転可能に固定する固定部材であって、前記回転部材の回転軸方向の移動を規制するように前記回転部材を保持し、前記回転部材が回転可能なように前記回転部材を保持する内周面と、前記支持体に係合する係合部が設けられる外周面と、を備えることを特徴する。
【００２８】
上記固定部材は、回転部材の軸受と抜け止めとを一体の部材で兼ねる。このように回転部材の軸受と抜け止めとを一つの部材が兼ねることによって、回転部材を精度良く固定することが容易になる。
【００２９】
また、上記固定部材は、前記回転部材の回転軸周りに回転させられることで前記係合部が前記支持体に係合して固定されることが好ましい。
【００３０】
固定部材が回転部材の回転軸周りに回転して支持体に固定される形態とされることによって、固定部材を支持体に固定する際に回転部材の回転軸の方向がずれ難くなり、回転部材を精度良く固定することがより容易になる。
【００３１】
また、本発明のアクチュエータは、出力軸を有する出力部と、前記出力軸を回転させるウォームと、を備え、前記ウォームは、固定部材によって回転軸方向の移動を規制されつつ前記出力部に回転可能に固定され、前記固定部材は、前記ウォームが回転可能なように前記ウォームを保持する内周面と、前記出力部に係合される係合部が設けられる外周面と、を有し、前記固定部材は前記係合部が前記出力部に係合して固定されることを特徴する。
【００３２】
上記のような回転部材を精度良く固定できる固定部材によって回転部材であるウォームを固定することによって、当該ウォームによって駆動される出力軸の動作精度を向上させることができる。
【００３３】
また、上記アクチュエータは、前記出力軸を露出させて前記出力部及び前記ウォームを収容する筐体を備え、前記出力部及び前記ウォームは前記出力軸の回転軸に直交する所定の方向に共に移動可能であり、前記固定部材は前記筐体に当接しており、前記出力部及び前記ウォームが前記所定の方向に共に移動するときに前記固定部材が前記筐体に対して摺動することが好ましい。
【００３４】
出力部及びウォームが移動するときにウォームを固定する固定部材が筐体に当接して摺動することによって、ウォームの回転軸がずれることが抑制される。その結果、出力部が移動するときでも出力軸の回転の動作精度が低下することを抑制できる。
【００３５】
また、本発明の灯具は、上記アクチュエータと、光源を有し前記アクチュエータの前記出力軸に接続されるランプユニットと、を備えることを特徴とする。
【００３６】
ランプユニットに接続されるアクチュエータの出力軸の動作精度が上記のように高いことによって、ランプユニットの動作の安定性が向上する。
【図面の簡単な説明】
【００３７】
【図１】本発明の実施形態に係る灯具を概略的に示す断面図である。
【図２】図１に示す灯具のうち、ランプユニット、アクチュエータ及びブラケットを示す斜視図である。
【図３】図２に示すランプユニット、アクチュエータ及びブラケットの分解斜視図である。
【図４】実施形態に係るアクチュエータから第一蓋部材を省略した平面図である。
【図５】実施形態に係るアクチュエータの分解斜視図である。
【図６】図５に表れている部材のうち一部を拡大して示す分解斜視図である。
【図７】収容部材及び固定部材のみを示す分解斜視図である。
【図８】図７とは異なる方向から見る、収容部材及び固定部材のみを示す分解斜視図である。
【図９】図７に矢印ＩＸで示す方向から軸受収容部を見る概略図である。
【図１０】図１０（Ａ）は、図７に示すＡ−Ａでの矢視断面の概略図において、軸受及びガイドシャフトが使用されるときの様子を破線で示す図である。図１０（Ｂ）は、図７に示すＢ−Ｂでの矢視断面の概略図において、軸受及びガイドシャフトが使用されるときの様子を破線で示す図である。
【図１１】図１１（Ａ）から図１１（Ｄ）は、軸受の配置過程を説明する概略図である。
【図１２】筐体の分解斜視図である。
【図１３】図１２とは異なる方向から見る筐体の分解斜視図である。
【図１４】固定部材及び支持突起のみを示す分解斜視図である。
【図１５】図１５（Ａ）及び図１５（Ｂ）は、それぞれ実施形態の灯具から出射される光の照射範囲を説明する図である。
【発明を実施するための形態】
【００３８】
以下、本発明に係る固定部材、自動調心軸受機構、アクチュエータ及び灯具の好適な実施形態について図面を参照しながら詳細に説明する。
【００３９】
図１は、本発明の実施形態に係る灯具を概略的に示す断面図である。図２は、図１に示す灯具のうち、ランプユニット、アクチュエータ及びブラケットを示す斜視図である。図３は、図２に示すランプユニット、アクチュエータ及びブラケットの分解斜視図である。なお、図１から図３及び以下に挙げる他の図において、図が煩雑になるのを防ぐため、参照符号を省略している場合がある。
【００４０】
本実施形態の灯具１は車両用前照灯である。図１に示すように、灯具１は、ランプユニット２とアクチュエータ２０とブラケット１５と筐体１０とを主な構成として備える。以下の説明において、説明の便宜上、ランプユニット２からの光が出射される側を「前」、その反対側を「後」ということがある。
【００４１】
＜筐体１０＞
筐体１０は、フロントカバー１１とランプハウジング１２とバックカバー１４とを備える。筐体１０の内側の空間は灯室ＬＲとされる。ランプユニット２、ブラケット１５、及びアクチュエータ２０は灯室ＬＲに収容される。
【００４２】
ランプハウジング１２の前方は開口しており、当該開口を塞ぐようにフロントカバー１１がランプハウジング１２に固定されている。フロントカバー１１は可視光を透過する材料で構成されている。また、ランプハウジング１２の後方には前方よりも小さな開口１４ａが形成されている。バックカバー１４はこの開口１４ａを塞ぐようにランプハウジング１２に取り付けられている。
【００４３】
＜ランプユニット２＞
ランプユニット２は、光源ユニット３、リフレクタ４、投影レンズ５、レンズホルダ６、シェード７、ソレノイド８、及びベースプレート９を主な構成として備える。
【００４４】
光源ユニット３は、可視光発光素子３ａ、発光制御部３ｂ、ヒートシンク３ｃ、及び冷却ファン３ｄを主な構成として備える。本実施形態の光源ユニット３では、可視光発光素子３ａは半導体発光素子とされる。可視光発光素子３ａは、波長が概ね３８０ｎｍから７８０ｎｍの光を出射する。可視光発光素子３ａに用いる半導体発光素子としては、例えばＬＥＤ（Light Emitting Diode）やＬＤ（Laser Diode）やＯＬＥＤ（Organic Light-Emitting Diode）を挙げることができる。また、発光制御部３ｂは、可視光発光素子３ａの発光を制御する。なお、可視光発光素子３ａが半導体発光素子以外の発光素子とされても良いが、低電力化及び低発熱化等の観点から、可視光発光素子３ａは上記のように半導体発光素子であることが好ましい。
【００４５】
ヒートシンク３ｃの一方の面側には、配線基板等を介して、可視光発光素子３ａ及び発光制御部３ｂが搭載される。また、ヒートシンク３ｃの他方の面側には放熱フィンが一体に設けられている。ヒートシンク３ｃの放熱フィンが備えられる側には、冷却ファン３ｄが取付けられている。可視光発光素子３ａ及び発光制御部３ｂが発する熱はヒートシンク３ｃへと伝わり、ヒートシンク３ｃが冷却ファン３ｄによって冷却されることにより、効率良く光源ユニット３から熱が放出される。
【００４６】
リフレクタ４は曲面状の板材から成る。リフレクタ４は、可視光発光素子３ａに被さるようにして光源ユニット３に固定される。リフレクタ４の可視光発光素子３ａと対向する面は反射面４ａとされる。具体的には、反射面４ａは回転楕円曲面を基調としており、当該楕円曲面の第１焦点及び第２焦点のうち第１焦点位置或いはその近傍の位置に可視光発光素子３ａが配置される。可視光発光素子３ａが出射する光の少なくとも一部は反射面４ａによって投影レンズ５側へ反射される。
【００４７】
投影レンズ５は非球面平凸レンズであり、可視光発光素子３ａからの光が入射する側の面である入射面５ｂは平面状とされ、当該光が出射する側の面である出射面５ａは当該光の出射方向に膨らむ凸面状とされる。また、投影レンズ５の外周にはフランジ５ｃが形成されている。また、投影レンズ５は、その後方焦点が上記リフレクタ４の反射面４ａの第２焦点或いはその近傍に位置するよう配置されている。つまり、本実施形態のランプユニット２では、ＰＥＳ（Projector Ellipsoid System）光学系とされている。
【００４８】
レンズホルダ６は投影レンズ５を保持する部材である。投影レンズ５は、上記フランジ５ｃがレンズホルダ６の一端に溶着されることで、レンズホルダ６に固定される。レンズホルダ６の投影レンズ５側と反対側の端部は、ねじ６ａ等により光源ユニット３に固定される。
【００４９】
ベースプレート９は、板状部材であり、レンズホルダ６と光源ユニット３との間において、ねじ９ａ等により光源ユニット３に固定される。また、ベースプレート９には可視光発光素子３ａから出射してリフレクタ４で反射される光が通る開口が形成されている。可視光発光素子３ａから出射する光はこの開口を通り、投影レンズ５に入射する。
【００５０】
ベースプレート９のうちアクチュエータ２０が配置される側には、ランプユニット２とアクチュエータ２０との接続に供される接続用凸部２ｂが設けられる。また、ベースプレート９のうち接続用凸部２ｂが設けられる側とは反対側には、ランプユニット２とブラケット１５との接続に供される被支持凸部２aが設けられる。被支持凸部２aは、ベースプレート９側に向かって凸の椀状の曲面を有している。接続用凸部２ｂはアクチュエータ２０が配置される側に開口を有する有底筒状である。
【００５１】
シェード７は、可視光発光素子３ａからの光の一部を遮る部材である。シェード７は、投影レンズ５と可視光発光素子３ａとの間に設けられ、ベースプレート９に固定されている。可視光発光素子３ａが発する光はリフレクタ４で反射され、当該光の一部はシェード７に照射される。シェード７に照射される光のうち一部はシェード７によって遮蔽されて投影レンズ５に入射せず、他の一部はシェード７によって反射されて投影レンズ５に入射する。こうして、シェード７により可視光発光素子３ａからの光が制御されて投影レンズ５に入射するので、投影レンズ５から出射する光が所望の配光パターンとされる。また、本実施形態のシェード７は、回転軸７ａを中心に回転可能に構成されており、ソレノイド８からの動力によって回転する。このようにシェード７を動かせることによって、シェード７の回転度合いに応じて配光パターンを変化させることができる。
【００５２】
＜ブラケット１５＞
ブラケット１５は、ランプユニット２とアクチュエータ２０との間に配置されてランプユニット２に対向する面とアクチュエータ２０に対向する面とを有する板状の取付板１６と、取付板１６に連続して形成され、正面視においてランプユニット２を囲う枠状の枠部１７と、を有する。
【００５３】
取付板１６は、ランプユニット２側からアクチュエータ２０側まで貫通した貫通孔１６ａを有する。貫通孔１６ａにはランプユニット２の接続用凸部２ｂが通される。貫通孔１６ａは、接続用凸部２ｂを通すことができる幅を有するとともに、接続用凸部２ｂが前後方向に動けるように前後方向に所定の長さを有する。また、取付板１６は、図１に示すように、後端からアクチュエータ２０が配置される側に延びる支持片１６ｂを有する。支持片１６ｂには厚さ方向に貫通する貫通孔１５ａが形成されている。貫通孔１５ａは、アクチュエータ２０のブラケット１５への取り付けに供される。
【００５４】
枠部１７のうち貫通孔１６ａと対向する位置には、被支持凸部２ａの上記曲面に対応する曲面を有する溝１７ａが形成される。溝１７ａには、被支持凸部２ａの曲面及び溝１７ａの曲面に対応した形状の摺動部材１８ａを介して、被支持凸部２ａが嵌められる。そして、被支持凸部２ａを覆うようにして押さえ部材１８ｂが枠部１７に固定されることによって、ランプユニット２とブラケット１５とが接続される。ランプユニット２は、被支持凸部２ａと接続用凸部２ｂとを結ぶ直線上の回転軸周りに所定の範囲で回転可能であると共に、当該回転軸に直交する前後方向に所定の範囲で振り子のように動けるように、ブラケット１５に支持される。
【００５５】
＜アクチュエータ２０＞
図４は、アクチュエータ２０から後述する第一蓋部材９４を省略した平面図である。図５は、アクチュエータ２０の分解斜視図である。図６は、図５に表れている部材のうち一部を拡大して示す分解斜視図である。図７は、収容部材３５及び固定部材４５のみを示す分解斜視図である。図８は、図７とは異なる方向から見る、収容部材３５及び固定部材４５のみを示す分解斜視図である。
【００５６】
アクチュエータ２０は、出力軸３３を有する出力部３０と、出力軸３３に垂直な面に沿って延在する第一ウォーム４０及び第二ウォーム５０と、第一ウォーム４０に駆動力を伝達する第一駆動機構６０と、第二ウォーム５０に駆動力を伝達する第二駆動機構７０と、回路基板８０と、これらを収容する筐体９０と、を主な構成として備える。
【００５７】
（出力部３０）
出力部３０は、出力軸部材３１と出力軸部材３１に重ねられる収容部材３５とを備える。
【００５８】
出力軸部材３１は、図６に示すように、円盤状のベース部３２と、ベース部３２の中央から一方の面側に突出する出力軸３３と、ベース部３２の外縁の一部から出力軸３３が突出する側とは反対側に延びる垂下片３２ａと、垂下片３２ａからベース部３２の径方向と平行に外側に突出して設けられるギア部３４と、を有する。
【００５９】
ギア部３４は、外縁が円弧状に形成されており、当該外縁に斜歯歯車３４ａを有する。斜歯歯車３４ａは、第一ウォーム４０に歯合して出力軸３３を所定の回転軸３３ａの周りに回転させる回転機構として機能する。斜歯歯車３４ａは、回転軸３３ａを中心する円弧に沿う面に形成される斜歯歯車である。
【００６０】
出力軸３３は、ランプユニット２の接続用凸部２ｂに接続される部位である。出力軸３３は、ベース部３２側が開口した中空部を有する有底筒状の部位である。また、出力軸３３は、外周面から外側に突出するように一対の連結凸部３３ｂを有する。一対の連結凸部３３ｂは、回転軸３３ａに直交する一直線上に形成されている。出力軸３３は接続用凸部２ｂの中空部に挿入され、一対の連結凸部３３ｂは、接続用凸部２ｂの図示されていない内周面の凹部にそれぞれ係合される。このように出力軸３３と接続用凸部２ｂとが接続されることによってランプユニット２は出力軸３３に追従して回転又は移動する。
【００６１】
収容部材３５は、図７に示すように、挿入凸部３６と、ギア収容部３７と、ギア収容部３７に隣接して設けられるウォーム収容部３８と、挿入凸部３６のギア収容部３７が設けられる側とは反対側の外側に形成される斜歯ラック３９と、を有する。
【００６２】
挿入凸部３６は、出力軸３３の上記中空部に挿入される部位である。挿入凸部３６は、出力軸３３の中空部の内径よりやや小さい外径の略円筒状である。挿入凸部３６が出力軸３３の中空部に挿入されることにより、出力軸３３は、収容部材３５に対して相対的に回転軸３３ａ周りに回転可能であるが、回転軸３３ａに直交する方向への収容部材３５に対する相対的な移動は規制される。すなわち、出力軸３３は、収容部材３５に対して相対的に回転軸３３ａ周りに回転可能であるが、収容部材３５が回転軸３３ａに直交する方向へ移動するときは出力軸３３も共に移動する。
【００６３】
ギア収容部３７は、出力軸部材３１が重ねられる側に開口を有し、ギア部３４が収容される凹部である。ギア部３４は当該開口からギア収容部３７に収容される。また、ギア収容部３７は、出力軸３３の回転方向に互いに離間して形成される突き当て壁３７ａ，３７ｂを有している。突き当て壁３７ａは図４及び図６に示しており、突き当て壁３７ｂが形成される位置は図４に点線で示している。突き当て壁３７ａ，３７ｂは、それぞれギア部３４のうち出力軸３３の回転方向の端面３４ｂ，３４ｃに対向する向きに形成されている。出力軸３３の収容部材３５に対する相対的な回転軸３３ａ周りの回転は、ギア部３４のうち出力軸３３の回転方向の一方の端面３４ｂが突き当て壁３７ａに突き当たる位置から、ギア部３４のうち出力軸３３の回転方向の他方の端面３４ｃが突き当て壁３７ｂに突き当たる位置までの範囲で、可能である。また、ギア収容部３７のうち突き当て壁３７ｂ側の端部には、ギア収容部３７の上記開口の一部を塞ぐ蓋部３７ｃが形成されている。平面視においてギア部３４が蓋部３７ｃに重なる位置にあるときは、ギア部３４がギア収容部３７から抜け出すことが抑制される。例えば、回転軸３３ａの初期位置を検出するために一旦限界まで回転軸３３ａを回転させる場合、ギア部３４が突き当て壁３７ｂに強く押し当てられると、ギア収容部３７から抜け出す方向の力がギア部３４に働く虞がある。しかし、蓋部３７ｃが設けられることによって、ギア部３４がギア収容部３７側に押さえられ、ギア部３４がギア収容部３７から抜け出すことが抑制される。
【００６４】
ウォーム収容部３８は、第一ウォーム４０が収容される部位であり、略円筒状に形成されている。ただし、図７に示すように、ウォーム収容部３８のうちギア収容部３７が設けられる側は開口３８ａが形成されている。ウォーム収容部３８に収容される第一ウォーム４０の一部は、開口３８ａからギア収容部３７側に露出する。このように第一ウォーム４０がギア収容部３７側に露出することによって、第一ウォーム４０と斜歯歯車３４ａとが歯合できる。
【００６５】
また、ウォーム収容部３８のうち第一ウォーム４０が挿入される入口側には、図７に表れている貫通孔３８ｄと図８に表れている貫通孔３８ｅとが形成されている。貫通孔３８ｄ及び貫通孔３８ｅは、ウォーム収容部３８の内周面側に形成される凹部であっても良い。
【００６６】
さらに、ウォーム収容部３８の入口側には、図７に示すように、固定部材４５を配置できるように固定部３８ｂが設けられている。固定部材４５は、第一ウォーム４０を収容部材３５に固定する部材である。固定部３８ｂは、ウォーム収容部３８の固定部３８ｂ側の端部に連続して形成される片３８ｂａと片３８ｂｂとによって形成される。片３８ｂａと片３８ｂｂとは対向して設けられ、それぞれウォーム収容部３８の端部からのウォーム収容部３８の長手方向に平行な方向に延びるように形成される。また、片３８ｂａと片３８ｂｂとの一方の端部同士の間には隙間３８ｂｃが形成されており、片３８ｂａと片３８ｂｂの他方の端部同士の間には隙間３８ｂｄが形成されている。片３８ｂｂのウォーム収容部３８側の位置には、隙間３８ｂｃ側に開放された溝３８ｂｅが形成されている。また、溝３８ｂｅのウォーム収容部３８とは反対側には、片３８ｂａ側に突出する凸部３８ｂｆが形成されている。片３８ｂａのうち隙間３８ｂｄ側のウォーム収容部３８とは反対側には、片３８ｂｂ側に突出する凸部３８ｂｇが形成されている。凸部３８ｂｇとウォーム収容部３８の端部とで切り込み３８ｂｈが形成されている。
【００６７】
また、ウォーム収容部３８のうち固定部３８ｂが設けられる側とは反対側には、図８に表れているように、開口３８ｃが形成されている。第一ウォーム４０がウォーム収容部３８に収容されるとき、第一ウォーム４０の端部は開口３８ｃから露出する。
【００６８】
図７に示すように、斜歯ラック３９は、出力部３０のうち第二ウォーム５０と対向する面に形成されて第二ウォーム５０と歯合する斜歯ラックである。より具体的には、斜歯ラック３９は、収容部材３５のうち第二ウォーム５０に対向して第二ウォーム５０の長手方向と平行である面上に形成される。斜歯ラック３９と第二ウォーム５０とが歯合することにより、第二ウォーム５０の回転に応じて、回転軸３３ａに直交する方向に出力部３０を移動させることができる。すなわち、斜歯ラック３９は、第二ウォーム５０に歯合して出力軸３３を回転軸３３ａに直交する方向に移動させる移動機構として機能する。
【００６９】
また、本実施形態のアクチュエータ２０では、斜歯ラック３９が出力軸３３と第二ウォーム５０とを最短で結ぶ線上に形成される。移動機構として機能する斜歯ラック３９が出力軸３３と第二ウォーム５０とを最短で結ぶ線上に形成されることによって、第二ウォーム５０と斜歯ラック３９とが歯合する作用点と出力軸３３との距離が近くなり、第二ウォーム５０から出力軸３３に適切に力が伝わりやすくなる。
【００７０】
上記のような回転軸３３ａに直交する方向への出力軸３３の移動をスムーズに行うために、収容部材３５は、長手方向が回転軸３３ａに直交する方向となるように配置される棒状のガイドシャフト１００に案内されて移動する。収容部材３５は、ガイドシャフト１００の軸受が配置される軸受収容部３５ａ，３５ｂを有する。軸受収容部３５ａ，３５ｂは、収容部材３５の移動方向、すなわちガイドシャフト１００の長手方向に離間して設けられる。
【００７１】
軸受収容部３５ａには、ガイドシャフト１００の軸受となる軸受１０１が配置される。軸受１０１の外径は軸受収容部３５ａの内径と略同じ大きさであり、軸受１０１は、例えば圧入によって軸受収容部３５ａに固定される。
【００７２】
軸受収容部３５ｂには、ガイドシャフト１００の軸受となる軸受１０２が配置される。ここで、図７から図１０（Ｂ）を参照しながら、軸受収容部３５ｂについて説明する。図９は、図７に矢印ＩＸで示す方向から軸受収容部３５ｂを見る概略図である。図１０（Ａ）は、図７に示すＡ−Ａでの矢視断面を概略的に示す図において、軸受１０２が使用されるときの軸受１０２及びガイドシャフト１００を破線で示す図である。図１０（Ｂ）は、図７に示すＢ−Ｂでの矢視断面を概略的に示す図において、軸受１０２が使用されるときの軸受１０２及びガイドシャフト１００を破線で示す図である。なお、「軸受１０２が使用されるとき」とは、ガイドシャフト１００が軸受１０１及び軸受１０２に挿通されて収容部材３５がガイドシャフト１００に沿って移動可能な状態のときを意味する。
【００７３】
軸受収容部３５ｂは、対向する一対の片３５ｄａ，３５ｄｂと、当該一対の片３５ｄａ，３５ｄｂの一方の端部を結ぶ片３５ｄｃと、一対の片３５ｄａ，３５ｄｂの他方の端部を結ぶ片３５ｄｄと、を有する。
【００７４】
片３５ｄａ、片３５ｄｂ、及び片３５ｄｄの内側の面によって、軸受収容部３５ａ側に凸となり、壁面が窪んでいる曲面状の内壁３５ｅが形成されている。また、片３５ｄｃの内側の面には、曲面状の窪み３５ｆが形成されている。内壁３５ｅ及び窪み３５ｆは軸受１０２の外周面に合わせた曲面を有している。図１０（Ａ）及び図１０（Ｂ）に示すように、軸受１０２が使用されるとき、内壁３５ｅ及び窪み３５ｆは軸受１０２に当接する。このように、軸受１０２が使用されるとき、軸受１０２は内壁３５ｅ及び窪み３５ｆによって囲まれる軸受保持空間３５ｃ内に保持される。軸受１０２が使用されるとき、内壁３５ｅは軸受１０２の外周面のうちガイドシャフト１００の長手方向の一方の側に当接し、窪み３５ｆは他方の側に当接するので、軸受１０２はガイドシャフト１００の長手方向への移動が規制される。また、内壁３５ｅ及び窪み３５ｆが軸受１０２に外周面に合わせた曲面状に形成されていることから、軸受保持空間３５ｃにおいて、軸受１０２は回転することができる。
【００７５】
また、内壁３５ｅのうち軸受収容部３５ａ側には開口３５ｇが形成されている。開口３５ｆにはガイドシャフト１００が通される。
【００７６】
また、軸受収容部３５ｂのうち軸受１０２が挿入される入口側において、図７に特によく表れているように、片３５ｄａと片３５ｄｄとの間の片３５ｄｄの入口側端部は開放されており、さらに、片３５ｄｄの入口側端部には溝３５ｈが形成されている。
【００７７】
また、軸受収容部３５ｂを軸受１０２が挿入される入口側から見て、対向する一対の片３５ｄａと片３５ｄｂとの間隔は軸受１０２の外径よりも大きい。一方、同様に軸受収容部３５ｂを軸受１０２が挿入される入口側から見て、片３５ｄｃと片３５ｄｄとの間隔は、軸受１０２の外径よりも小さい。
【００７８】
次に、このような軸受収容部３５ｂに軸受１０２を配置する方法について、図１１（Ａ）から図１１（Ｄ）を参照しつつ説明する。図１１（Ａ）から図１１（Ｄ）は、軸受１０２の配置過程を説明する図である。図１１（Ａ）及び図１１（Ｂ）は、それぞれ軸受１０２を軸受保持空間３５ｃに配置する前の様子を示しており、図１１（Ｃ）及び図１１（Ｄ）は、それぞれ軸受１０２が軸受保持空間３５ｃに配置されるときの様子を示している。また、図１１（Ａ）及び図１１（Ｃ）は図１０（Ａ）と同じ場所を示す図であり、図１１（Ｂ）及び図１１（Ｄ）は、図１０（Ｂ）と同じ場所を示す図である。
【００７９】
上述したように、軸受収容部３５ｂのうち軸受１０２が挿入される入口側において、片３５ｄａと片３５ｄｂとの間隔は軸受１０２の外径よりも大きく、片３５ｄｃと片３５ｄｄとの間隔は軸受１０２の外径よりも小さい。よって、軸受１０２が所定の向きでなければ、軸受１０２を軸受保持空間３５ｃへと通すことができない。この所定の向きは、軸受１０２が使用されるときの向きとは異なる向きである。
【００８０】
ここで、軸受保持空間３５ｃへと通すことができるときの軸受１０２に挿通されるガイドシャフト１００の長手方向を第一軸心方向ｙとし、図１１（Ａ）に一点鎖線で示す。また、軸受１０２が使用されるときの軸受１０２に挿通されるガイドシャフト１００の長手方向を第二軸心方向ｘとし、図１１（Ｃ）に一点鎖線で示す。第一軸心方向ｙと第二軸心方向ｘとは、互いに交わる方向である。
【００８１】
図１１（Ａ）及び図１１（Ｂ）に示すように、まずは軸受１０２に挿通されるガイドシャフト１００の長手方向が第一軸心方向ｙとなるようにして、外部から軸受保持空間３５ｃに向けて軸受１０２を挿入する。本実施形態において、第一軸心方向ｙは回転軸３３ａと平行であり、軸受保持空間３５ｃへと通すことができるときの軸受１０２の移動方向は第一軸心方向ｙと直交する方向である。ただし、軸受保持空間３５ｃへと通すことができるときの軸受１０２の移動方向は第一軸心方向ｙと交わる方向であれば良い。そして、軸受１０２が軸受保持空間３５ｃに達すると、図１１（Ｃ）及び図１１（Ｄ）に示すように、軸受１０２に挿通されるガイドシャフト１００の長手方向が第一軸心方向ｙから第二軸心方向ｘになるように、軸受１０２を回転させる。このようにして、軸受１０２を軸受保持空間３５ｃに配置することができる。
【００８２】
上記特許文献１のアクチュエータでは、出力軸をスムーズに移動させるために、出力軸をガイドシャフトに沿わせて移動させている。このガイドシャフトは、筐体に設けられる凹部に固定されている。しかし、当該筐体の構成部材は主に樹脂成型品であるため、当該部材の作製に用いる金型の誤差や温度変化等によって軸受の設置位置にずれが生じる場合があり、軸の芯出し精度の向上が求められている。
【００８３】
本実施形態では、軸受保持空間３５ｃ内に保持される軸受１０２は、少なくとも、軸受１０２に挿通されるガイドシャフト１００の長手方向が第一軸心方向ｙから第二軸心方向ｘになる範囲で回転することができる。すなわち、上記軸受１０２及び軸受保持空間３５ｃによれば、軸受１０２は軸受保持空間３５ｃにおいて軸受中心周りに回転することができる。従って、軸受１０２に挿入されるガイドシャフト１００の方向が予定されている向きに対してある程度傾いたとしても、軸受保持空間３５ｃ内に保持される軸受１０２がその軸の傾きに追従することができるので、ガイドシャフト１００の芯出しが容易である。すなわち、軸受１０２と軸受収容空間３５ｃとによって、自動的にガイドシャフト１００の芯出しが可能な自動調心軸受機構が構成される。当該自動調心軸受機構によれば、例えば、出力部３０を構成する部材の作製に用いる金型の誤差や温度変化による構成部材の体積変化が生じてもガイドシャフト１００をそれらの誤差や変化に追従させることができる。また、軸受１０２が挿入されるときの向きと使用されるときの向きとが異なり、軸受１０２が使用されるときの向きでは軸受中心軸方向への軸受１０２の移動が規制されるので、他に軸受１０２を固定するための部材等がなくとも軸受１０２の挿入及び固定が可能である。
【００８４】
このような軸受１０２及び軸受保持空間３５ｃを含む自動調心軸受機構において、第一軸心方向ｙに沿った一方側は、軸受１０２が外部から軸受保持空間３５ｃに到達するまでの区間、すなわち図１０（Ａ）に示す区間Ｄ１において、少なくとも軸受１０２に挿通されるガイドシャフト１００が通る幅で開放されていることが好ましい。本実施形態の軸受収容部３５ｂでは、図７を用いて説明したように、入口側において片３５ｄａと片３５ｄｂとの間が一部開放されるとともに溝３５ｈが形成されることによって、上記区間Ｄ１において、第一軸心方向ｙに沿った一方側がガイドシャフト１００が通る幅で開放されている。このように軸受収容部３５ｂの一部が開放されていることによって、図１１（Ａ）及び図１１（Ｄ）に示すように、軸受１０２にガイドシャフト１００を挿通させたままで軸受１０２を軸受保持空間３５ｃに挿入することができ、且つ、軸受１０２にガイドシャフト１００を挿通させたままで軸受保持空間３５ｃおいて軸受１０２の中心軸が第一軸心方向ｙから第二軸心方向ｘになるように軸受１０２を回転させることができる。よって、軸受１０２にガイドシャフト１００を挿通させた状態で当該ガイドシャフト１００を持って軸受１０２を移動及び回転させることができるので、軸受１０２の設置が容易になる。
【００８５】
また、上記自動調心軸受機構において、軸受１０２の外形は、図１１（Ａ）及び図１１（Ｄ）に示すように、軸受１０２に挿通されるガイドシャフト１００の長手方向において中央部が両端部よりも突出した湾曲面であることが好ましい。軸受１０２の外形が上記のような曲面であることによって、軸受保持空間３５ｃで軸受１０２を回転させることが容易になる。また、軸受１０２の外形が曲面であることによって、軸受保持空間３５ｃを形成する内壁３５ｅや窪み３５ｆと軸受１０２との接触面積を大きくすることが容易になるので、軸受１０２の移動を規制することが容易になる。
【００８６】
また、第一軸心方向ｙと第二軸心方向ｘとは互いに直交していることが好ましい。このように第一軸心方向ｙと第二軸心方向ｘとの向きが互いに大きく異なることによって、軸受１０２が意図せず軸受保持空間３５ｃから外れることを抑制しやすくなる。
【００８７】
本実施形態のアクチュエータ２０は上記自動調心軸受機構を有する出力部３０を備え、出力部３０は軸受１０２に挿通されるガイドシャフト１００に沿って移動する。このようなアクチュエータ２０は、上記のように構造が簡易な自動調心軸受機構を用いており、動作精度が高く生産性の良いアクチュエータとされる。
【００８８】
（第一ウォーム４０）
図６に示すように、第一ウォーム４０は外周に歯車４２を有する。第一ウォーム４０は、長手方向に沿った回転軸の周りに回転する棒状の回転部材である。また、第一ウォーム４０の長手方向の一方の端部には周方向に沿った溝４３が形成されている。溝４３には、第一ウォーム４０を収容部材３５に固定するための固定部材４５が嵌められる。さらに、第一ウォーム４０は、溝４３が形成される側とは反対側の端部が開口した中空状とされ、第一ウォーム４０の回転軸に沿って歯車４２に囲まれるように不図示の中空部を有する。
【００８９】
固定部材４５は、第一ウォーム４０を回転可能に収容部材３５に固定する固定部材である。収容部材３５は、固定部材４５を介して第一ウォーム４０を支持する支持体である。固定部材４５は、厚さ方向に貫通する貫通孔４５ｂを有すると共に外形が概ね円形である。ただし、一部が切り欠かれることによって外周面と貫通孔４５ｂを形成する内周面とが繋がっている。固定部材４５は弾性を有しており、固定部材４５が第一ウォーム４０の溝４３に嵌められるとき、当該切り欠かれた部分４５ｃが広げられて、第一ウォーム４０が貫通孔４５ｂに挿入される。
【００９０】
また、固定部材４５は、第一ウォーム４０が回転可能なように第一ウォーム４０を保持する内周面と、複数の突起が設けられる外周面と、を有する。固定部材４５の外周面の形状について、図７及び図８を参照しつつ説明する。
【００９１】
固定部材４５のうちウォーム収容部３８側となる部分の外径はウォーム収容部３８の内径より細く形成されており、当該部分がウォーム収容部３８に挿入される。固定部材４５のウォーム収容部３８に挿入される部分のうち外周面の互いに対向する位置には凸部４５ｄ，４５ｅが形成されている。凸部４５ｄ，４５ｅは、ウォーム収容部３８の貫通孔３８ｄ，３８ｅに対応する位置に設けられている。なお、ウォーム収容部３８の入口側の内周面は、４５ｄ，４５ｅを貫通孔３８ｄ，３８ｅまで導けるように図示していない溝が形成されている。また、固定部材４５のうちウォーム収容部３８に挿入されずに固定部３８ｂに配置される部分の外周面には、ウォーム収容部３８側となる位置に２つの凸部４５ｇ，４５ｈが形成されている。凸部４５ｇは切り込み３８ｂｄに嵌まるように形成されており、凸部４５ｈは溝３８ｂｅに嵌まるように形成されている。また、凸部４５ｈのウォーム収容部３８とは反対側に隣り合う位置には、図６に示すようにラッチ４５ｉが形成されている。さらに、固定部材４５の外周面には凹部４５ｊ，４５ｋが設けられている。凹部４５ｊ，４５ｋは、固定部材４５を収容部材３５に固定する際及び固定部材４５が収容部材３５に固定されているときに隙間３８ｂｃ、３８ｂｄにおいて露出する。このように露出する凹部４５ｊ，４５ｋが設けられることによって、凹部４５ｊ，４５ｋに力を加えて固定部材４５を回転させやすくなるため、固定部材４５の固定及び取り外しが容易になる。
【００９２】
固定部材４５を収容部材３５に固定する際には、凸部４５ｇが隙間３８ｂｄに位置し、且つ、凸部４５ｈが隙間３８ｂｃに位置するように固定部材４５をウォーム収容部３８側に押し付ける。その後、固定部材４５を回転させることによって、凸部４５ｄは貫通孔３８ｄに、凸部４５ｅは貫通孔３８ｅに、凸部４５ｇは切り込み３８ｂｈに、凸部４５ｈは溝３８ｂｅに、ラッチ４５ｉは凸部３８ｂｆに、それぞれ嵌められ、固定部材４５が収容部材３５に固定される。
【００９３】
なお、図７及び図８では第一ウォーム４０を省略しているが、固定部材４５は第一ウォーム４０の溝４３に嵌められた状態で第一ウォーム４０と共にウォーム収容部３８に挿入され、第一ウォーム４０の回転軸周りに固定部材４５を回転させることで上記のように固定部材４５が収容部材３５に固定される。固定部材４５は、収容部材３５に一旦固定されると第一ウォーム４０が回転しても固定部材４５は回転しない程度の力で、収容部材３５に固定される。このように、固定部材４５は、第一ウォーム４０の溝４３に嵌められると共に収容部材３５に固定されることによって、第一ウォーム４０が回転軸方向に移動することを規制するように第一ウォーム４０を保持する。
【００９４】
上記のように、固定部材４５は、第一ウォーム４０の軸受と抜け止めとを兼ねる。この第一ウォーム４０や以下に詳述する他のウォームは、出力軸３３に駆動力を伝える重要や役割を担うため、精度良く固定されている必要がある。固定部材４５が第一ウォーム４０の軸受と抜け止めとを兼ねることによって、第一ウォーム４０を精度良く収容部材３５に固定することが容易になる。このように第一ウォーム４０が精度良く固定されることによって、第一ウォーム４０から出力部３０へと適切に力が加わりやすくなり、出力軸３３の回転の動作精度を向上させることができる。また、固定部材４５を収容部材３５に固定する際に固定部材４５を第一ウォーム４０の回転軸周りに回転させる形態とされることによって、固定部材４５を収容部材３５に固定する際に第一ウォーム４０の回転軸の位置がずれ難くなり、第一ウォーム４０をより精度良く固定することができる。
【００９５】
（第一駆動機構６０）
図５に示すように、第一駆動機構６０は、軸部材６１と伝達ギア６２とモータ６３とを有する。
【００９６】
図６に示すように、軸部材６１は、長手方向に沿った回転軸の周りに回転する棒状の回転部材である。軸部材６１は、上述した第一ウォーム４０の中空部に挿入される軸部６１ａと、軸部６１ａの第一ウォーム４０に挿入される側とは反対側に設けられるはすば歯車部６１ｃと、はすば歯車部６１ｃの軸部６１ａとは反対側に形成される周方向に沿った溝６１ｄと、を有する。溝６１ｄには、軸部材６１を筐体９０に固定するための固定部材６４が嵌められる。
【００９７】
軸部６１ａは、長手方向に沿った複数の突起部６１ｂを外周に有している。また、第一ウォーム４０の中空部は、複数の突起部６１ｂに係合する長手方向に沿った溝を有している。軸部６１ａは第一ウォーム４０の中空部内を長手方向に移動可能とされ、軸部材６１と第一ウォーム４０とは相対的に長手方向に移動可能とされる。また、軸部６１ａが第一ウォーム４０の中空部に挿入された状態で、軸部６１ａのそれぞれの突起部６１ｂが第一ウォーム４０の中空部内のそれぞれの溝に嵌まり、軸部６１ａと第一ウォーム４０との相対的な回転が規制される。従って、軸部材６１は第一ウォーム４０と共に長手方向に平行な回転軸周りに回転可能である。このため、はすば歯車部６１ｃの回転軸は、第一ウォーム４０の回転軸と方向が同じとなる。
【００９８】
固定部材６４は、軸部材６１を回転可能に支持体である筐体９０に固定する固定部材である。固定部材６４は、厚さ方向に貫通する貫通孔６４ｂを有すると共に外形が概ね四角形である。ただし、一部が切り欠かれることによって外周面と貫通孔６４ｂを形成する内周面とが繋がっている。固定部材６４は弾性を有しており、固定部材６４を軸部材６１の溝６１ｄに嵌めるとき、当該切り欠かれた部分６４ｃが広げられて軸部材６１が貫通孔６４ｂに挿入される。また、固定部材６４は、軸部材６１が回転可能なように軸部材６１を保持する内周面と、外形の四角形のうち欠かれた部分６４ｃに対向する一辺に沿って形成される厚さ方向に突出する突起６４ａと、を有している。固定部材６４は、軸部材６１の溝６１ｄに嵌められた状態で筐体９０に固定される。このように、固定部材６４は、軸部材６１の溝６１ｄに嵌められると共に筐体９０に固定されることによって、軸部材６１が回転軸方向に移動することを規制するように軸部材６１を保持する。
【００９９】
上記のように、固定部材６４は、軸部材６１の軸受と抜け止めとを兼ねる。固定部材６４が軸部材６１の軸受と抜け止めとを兼ねることによって、軸部材６１を精度良く筐体９０に固定することが容易になる。このように軸部材６１が精度良く固定されることによって、軸部材６１から第一ウォーム４０へと適切に力が加わりやすくなり、出力軸３３の動作精度を向上させることができる。
【０１００】
図５に示すように、モータ６３は、コイルを有するコアアッセンブリ６３ａと、コアアッセンブリ６３ａの中心に配置される軸受６３ｂと、コアアッセンブリ６３ａを覆うロータ部材６３ｃと、を有する。ロータ部材６３ｃは、コアアッセンブリ６３ａの外周を覆うように配置される円筒状の磁石６３ｄと、磁石６３ｄの一方の端部を覆うように配置される蓋部材６３ｅと、蓋部材６３ｅに固定されて軸受６３ｂに挿通される軸６３ｆと、を有する。また、蓋部材６３ｅのコアアッセンブリ６３ａが配置される側とは反対側には、回転軸が軸６３ｆと一致する平歯車６３ｇが設けられる。
【０１０１】
伝達ギア６２は、平歯車６２ａと、平歯車６２ａの中心からの一方の面側に突出して設けられ、平歯車６２ａと回転軸の方向が一致するウォーム６２ｂと、を有し、中心に回転軸に沿った貫通孔を有する。伝達ギア６２は、平歯車６２ａがロータ部材６３ｃの平歯車６３ｇと歯合し、ウォーム６２ｂが軸部材６１のはすば歯車部６１ｃと歯合するように配置される。
【０１０２】
（第二ウォーム５０）
第二ウォーム５０は、長手方向に沿った回転軸の周りに回転する棒状の回転部材である。図５に示すように、第二ウォーム５０は外周に歯車５２を有する。また、第二ウォーム５０の長手方向の一方の端部には周方向に沿った溝５３が形成されている。溝５３には、第二ウォーム５０を筐体９０に固定するための固定部材５５が嵌められる。さらに、第二ウォーム５０は、第一ウォーム４０と同様に中空部を有する。
【０１０３】
固定部材５５は、支持体である筐体９０に第二ウォーム５０を回転可能に固定する固定部材である。固定部材５５は固定部材６４と同様の構成であるため、詳細な説明を省略する。固定部材５５は、第二ウォーム５０の軸受と抜け止めとを兼ねる。固定部材５５が第二ウォーム５０の軸受と抜け止めとを兼ねることによって、第二ウォーム５０を精度良く筐体９０に固定することが容易になる。このように第二ウォーム５０が精度良く固定されることによって、第二ウォーム５０から出力部３０へと適切に力が加わりやすくなり、出力軸３３の動作精度を向上させることができる。
【０１０４】
（第二駆動機構７０）
図５に示すように、第二駆動機構７０は、軸部材７１と伝達ギア７２とモータ７３とを有する。
【０１０５】
軸部材７１は、長手方向に沿った回転軸の周りに回転する棒状の回転部材であり、軸部材６１と同様の構成である。軸部材７１の軸部は第二ウォーム５０の中空部に挿入され、軸部材７１は第二ウォーム５０と共に長手方向に平行な回転軸周りに回転可能である。また、軸部材７１は第二ウォーム５０と回転軸の方向が同じとなるウォーム部を有する。さらに、軸部材７１は、固定部材７４によって筐体９０に固定される。
【０１０６】
固定部材７４は、支持体である筐体９０に軸部材７１を回転可能に固定する固定部材である。固定部材７４は固定部材６４と同様の構成であるため、詳細な説明を省略する。固定部材７４は、軸部材７１の軸受と抜け止めとを兼ねる。固定部材７４が軸部材７１の軸受と抜け止めとを兼ねることによって、軸部材７１を精度良く筐体９０に固定することが容易になる。このように軸部材７１が精度良く固定されることによって、軸部材７１から第二ウォーム５０へと適切に力が加わりやすくなり、出力軸３３の動作精度を向上させることができる。
【０１０７】
モータ７３はモータ６３と同様の構成であり、モータ７３はコアアッセンブリ、軸受及びロータ部材を有し、当該ロータ部材は平歯車を有する。
【０１０８】
伝達ギア７２は、伝達ギア６２と同様の構成であり、平歯車及びウォームを有する。当該平歯車はモータ７３の平歯車と歯合し、当該ウォームは軸部材７１のウォーム部と歯合する。
【０１０９】
（回路基板８０）
回路基板８０上には、図示しない所定のパターンの回路が形成され、電子部品８１，８２，８３及びコネクタ８４等が搭載される。電子部品８１，８２，８３は、回路基板８０上に配置される電子部品の中では大きな部品である。電子部品８１，８２，８３は、例えばラジアル部品とされ、電子部品８１及び電子部品８２は例えばコンデンサであり、電子部品８３は例えばコイルである。コネクタ８４は、回路基板８０上において前方の中央部に配置される。
【０１１０】
（筐体９０）
図１２は筐体９０の分解斜視図である。図１３は、図１２とは異なる方向から見る筐体９０の分解斜視図である。筐体９０は、筐体本体９１と筐体本体９１の一方の側に配置される第一蓋部材９４と筐体本体９１の他方の側に配置される第二蓋部材９５とを備える。筐体本体９１は、中板部９２と中板部９２の外周を囲む枠部９３とを有する。枠部９３は、中板部９２の第一蓋部材９４側及び第二蓋部材９５側に延びるように設けられる。第一蓋部材９４は、中板部９２の一方の面と枠部９３の内周面とで形成される空間を覆い、第二蓋部材９５は、中板部９２の他方の面と枠部９３の内周面とで形成される空間を覆う。
【０１１１】
中板部９２は外形が概ね長方形の板状であり、当該長方形の一対の長辺のうち一方の長辺の両端に位置する角部は丸められており、他方の長辺の両端に位置する角部は切り欠かれている。また、切り欠かれている角部のうち一方の角部近傍は、第一蓋部材９４側に突出する凸部９２ｃが形成されている。凸部９２ｃが形成されている部分では中板部９２と第一蓋部材９４との間が狭くなり中板部９２と第二蓋部材９５との間が広くなる。
【０１１２】
枠部９３は上記のような形状の中板部９２の外周を囲うように形成される。そして、枠部９３のうち中板部９２の切り欠かれた角部を囲う部分には、外側に突出する一対の被取付片９１ａが設けられる。一対の被取付片９１ａは、厚さ方向に貫通する貫通孔を有している。また、枠部９３のうちコネクタ８４と重なる位置にはコネクタ８４を覆うように外側に突出するコネクタカバー部９３ａが設けられる。また、枠部９３のうちコネクタカバー部９３ａが設けられる側とは反対側には、外側に突出する外形が樽状の樽状凸部９３ｂが形成される。枠部９３の外周面のうち被取付片９１ａ、コネクタカバー部９３ａ、及び樽状凸部９３ｂが形成されていない部分には、中板部９２の周方向において互いに離隔して複数の係止凸部９３ｃが設けられる。また、枠部９３の内周面のうち第二蓋部材９５側には、中板部９２の周方向において互いに離隔して複数の凹部９３ｄが形成されている。
【０１１３】
第一蓋部材９４は、筐体本体９１の一方の大部分を覆う板状の蓋本体部９４ａを有する。第一蓋部材９４を筐体本体９１に被せたときの平面視において、第一蓋部材９４のうち枠部９３に形成される複数の係止凸部９３ｃに重なる位置には、蓋本体部９４ａの外周から枠部９３に重なるように延びる複数の係止片９４ｃが設けられる。複数の係止片９４ｃはそれぞれ孔を有しており、それぞれの係止片９４ｃの当該孔に係止凸部９３ｃが係止され、第一蓋部材９４が筐体本体９１に固定される。
【０１１４】
また、蓋本体部９４ａには、略中央部に厚さ方向に貫通する貫通孔９４ｂが形成されている。貫通孔９４ｂには出力軸３３が挿入される。従って、筐体９０は出力軸３３を露出させて出力部３０等を収容する。貫通孔９４ｂは、出力軸３３を挿入可能な幅と、出力軸３３が上述したように移動することを許容できる長さを有する。
【０１１５】
また、第一蓋部材９４は、被取付片９１ａ，９１ａと重なる位置に、被取付片９４ｄ，９４ｄを有する。被取付片９４ｄ，９４ｄは厚さ方向に貫通する貫通孔を有しており、当該貫通孔は被取付片９１ａ，９１ａの貫通孔と重なる。
【０１１６】
第二蓋部材９５は、回路基板８０と概ね同じ外形を有している。第二蓋部材９５の筐体本体９１側の面の外縁部には、枠部９３の内周と重なる外周を有する凸部９５ａが連続的に設けられている。この凸部９５ａに設けられる爪９５ｂが枠部９３の内周面に設けられる凹部９３ｄに嵌められることによって、第二蓋部材９５が筐体本体９１に固定される。
【０１１７】
次に、筐体９０内における各部材の配置について説明する。
【０１１８】
筐体本体９１と第一蓋部材９４との間には、出力部３０、第一ウォーム４０、第二ウォーム５０、第一駆動機構６０及び第二駆動機構７０等が配置される。具体的には下記の通りである。
【０１１９】
図１２に示すように、中板部９２の第一蓋部材９４側の面の中央から凸部９２ｃ側に寄った位置において、前後方向に一直線に並んで支持突起１１１、１１２、１１３が設けられている。支持突起１１１はコネクタカバー部９３ａが設けられる側に設けられ、支持突起１１３は樽状凸部９３ｂが設けられる側に設けられ、支持突起１１２は支持突起１１１と支持突起１１３との間に設けられる。
【０１２０】
支持突起１１３は、固定部材７４の外形に合わせた溝を有している。固定部材７４の支持突起１１３への固定方法を説明するため、図１４に固定部材７４及び支持突起１１３のみの分解斜視図を示す。図１４に示すように、支持突起１１３に形成される溝のうち固定部材７４の凸部７４ａが挿入される位置には、凸部７４ａの形状に対応して支持突起１１３の厚さ方向の内側に突出する一対の支持部１１３ａが形成されている。この一対の支持部１１３ａによって、凸部７４ａの動きが規制され、固定部材７４が支持突起１１３に固定され易くなる。固定部材７４は、軸部材７１に嵌められた状態で上記のように支持突起１１３の溝に挿入されることで回転が抑制されるように固定され、軸部材７１の位置が固定される。
【０１２１】
また、固定部材５５は固定部材７４と同様にして支持突起１１１に固定される。すなわち、支持突起１１１は、固定部材５５の外形に合わせた溝を有しており、固定部材５５は第二ウォーム５０に嵌められた状態で当該溝に挿入されることで回転が抑制されるように固定され、第二ウォーム５０の位置が固定される。ただし、固定部材５５及び固定部材７４は、固定部材７４の凸部７４ａと固定部材５５の凸部とが第二ウォーム５０及び軸部材７１に対して互いに反対側になるように固定される。
【０１２２】
なお、第二ウォーム５０及び軸部材７１は、第二ウォーム５０の中空部に軸部材７１の軸部が挿入された状態で固定される。そして、支持突起１１２が有する溝には、第二ウォーム５０が回転可能なように、第二ウォーム５０のうち歯車５２が形成されていない部分が支持される。
【０１２３】
出力部３０は、構成部材が組み付けられた状態で筐体本体９１と第一蓋部材９４との間に配置される。すなわち、図６に示すように、出力軸部材３１と収容部材３５とが重ねられ、軸受１０１、軸受１０２、ガイドシャフト１００、第一ウォーム４０、及び固定部材４５が収容部材３５に取り付けられ、固定部材６４が嵌められた軸部材６１の軸部６１ａが第一ウォーム４０の中空部に挿入された状態とされる。そして、この状態でガイドシャフト１００及び固定部材６４が筐体９０に設けられる支持突起等に支持される。詳しくは下記の通りである。
【０１２４】
中板部９２の第一蓋部材９４側の面の略中央には、支持突起１１４が備えられる。支持突起１１４は、出力部３０を配置する際にガイドシャフト１００を支えることで出力部３０の組み付けを容易にする。また、枠部９３のうち樽状凸部９３ｂが形成される位置の内周面が外周面側に突出して凹部１１５が形成される共に、当該凹部１１５に連続する溝を有する支持突起１１６が中板部９２に形成される。凹部１１５及び支持突起１１６の溝にはガイドシャフト１００の一方の端部が支持される。また、枠部９３のうちコネクタカバー部９３ａが形成される位置の内周面には外周面側に向かって凹んだ不図示の凹部が形成されており、当該凹部にガイドシャフト１００の他方の端部が支持される。さらに、中板部９２の第一蓋部材９４側の面には、固定部材６４の外形に合わせた溝を有する支持突起１１７が形成されており、固定部材６４は当該溝に挿入され、固定部材６４は回転が抑制されるように固定される。このようにして、出力部３０が筐体本体９１と第一蓋部材９４との間に配置される。
【０１２５】
モータ６３は、図５に示すように、中板部９２から第一蓋部材９４側に立てられた筒状突起１１８がコアアッセンブリ６３ａの中心に挿入されて固定される。また、モータ７３は、モータ６３と同様にして、中板部９２から第一蓋部材９４側に立てられた筒状突起１１９に固定される。また、伝達ギア６２は中板部９２に形成される凹部１２０に一方の端部が挿入されるピン１２１に挿入され、伝達ギア７２は中板部９２に形成される凹部１２２に一方の端部が挿入されるピン１２３に挿入される。なお、ピン１２１は伝達ギア６２の回転軸と重なり、ピン１２３は伝達ギア７２の回転軸と重なる。
【０１２６】
以上のようにして各部材が筐体本体９１と第一蓋部材９４との間に配置される。なお、第一ウォーム４０及び第二ウォーム５０は、回転軸がガイドシャフト１００の長手方向と平行になるように配置される。また、モータ６３、モータ７３、伝達ギア６２及び伝達ギア７２は、第一ウォーム４０及び第二ウォーム５０に対して第一ウォーム４０及び第二ウォーム５０の長手方向に直交する方向に配置される。
【０１２７】
上記のように各部材が配置される筐体本体９１に第一蓋部材９４が被せられると、蓋本体部９４ａの筐体本体９１側の面に設けられる突起によって、筐体本体９１に配置される部材が押さえつけられる。具体的には、図１３に示すように、蓋本体部９４ａの筐体本体９１側の面には、固定部材４５に当接するリブ１３０、固定部材５５に当接する凸部１３１、固定部材６４に当接する凸部１３２、固定部材７４に当接する凸部１３３、ピン１２１に当接する凸部１３４、及びピン１２３に当接する凸部１３５が形成されている。このように軸受も兼ねる固定部材４５、固定部材５５、固定部材６４、及び固定部材７４が中板部９２と第一蓋部材９４とで挟まれて固定されることによって、第一ウォーム４０、第二ウォーム５０、軸部材６１、及び軸部材７１の回転軸がぶれることが抑制され、出力軸３３の回転又は移動の動作精度が向上される。また、ピン１２１及びピン１２３が中板部９２と第一蓋部材９４とで挟まれて固定されることによって、伝達ギア６２及び伝達ギア７２の浮き上がりが抑制されるので、第一駆動機構６０及び第二駆動機構７０から第一ウォーム４０及び第二ウォーム５０へと駆動力が適切に伝達され難くなることを抑制できる。
【０１２８】
なお、固定部材４５は出力部３０の移動に伴って移動するため、固定部材４５に当接するリブ１３０は、固定部材４５の移動範囲全域に渡って設けられる。すなわち、出力部３０の移動に伴って第一ウォーム４０が移動することにより、固定部材４５も出力軸３３の回転軸３３ａに直交する所定の方向に共に移動するが、このように固定部材４５が移動する間において、固定部材４５はリブ１３０当接している。よって、出力部３０及び第一ウォーム４０が所定の方向に共に移動するときに固定部材４５は筐体９０に対して摺動する。このように、出力部３０が移動するときに固定部材４５が筐体９０に当接して摺動することによって、第一ウォーム４０の回転軸がずれることが抑制される。その結果、出力部３０が移動するときでも出力軸３３の回転の動作精度を向上させることができる。なお、本実施形態において固定部材４５は軸受としての機能も有するため、摩耗しにくい材料で構成されている。固定部材４５を構成する材料としては、例えばポリアセタールが挙げられる。
【０１２９】
また、蓋本体部９４ａには、凹部１１５に挿入される突起１３６も形成されている。突起１３６が凹部１１５に挿入されることによって、突起１３６によってガイドシャフト１００がコネクタカバー部９３ａ側に押し当てられ、ガイドシャフト１００の位置がずれることが抑制される。
【０１３０】
図５に示すように、筐体本体９１と第二蓋部材９５との間には、回路基板８０及び回路基板８０上に配置される電子部品８１，８２，８３及びコネクタ８４等の部品が配置される。回路基板８０は、中板部９２の第二蓋部材９５側に設けられる突起８０ａが回路基板８０に形成される貫通孔８０ｂに圧入されると共に、中板部９２の第二蓋部材９５側に設けられる突起８０ｄが回路基板８０に形成される切り欠き８０ｅに圧入されることによって、筐体本体９１と第二蓋部材９５との間に固定される。なお、突起８０ａの端部は第二蓋部材９５の凹部８０ｃに挿入され、突起８０ｄの端部は第二蓋部材９５の凹部８０ｆに挿入される。
【０１３１】
なお、回路基板８０上に配置される電子部品のうち第一ウォーム４０または第二ウォーム５０が配置される位置よりも突出して配置される電子部品８１，８２，８３は、第二ウォーム５０の出力軸３３とは反対側に配置される。具体的には、電子部品８１，８２，８３は、凸部９２ｃによって形成される空間に配置される。上述したように第二ウォーム５０は出力軸３３側に寄せて配置されており、第二ウォーム５０が出力軸３３側に寄せて配置されることによってできる空間にラジアル部品である電子部品８１，８２，８３が配置されることによって、筐体９０内の空間が有効利用され、アクチュエータ２０の小型化が容易になる。
【０１３２】
また、上述したように、本実施形態のアクチュエータ２０では、ラジアル部品である電子部品８１，８２，８３、モータ６３及びモータ７３等も第一ウォーム４０及び第二ウォーム５０に対して長手方向に直交する方向に配置される。このようにアクチュエータ２０を構成する部材のうち体積の大きな部材が第一ウォーム４０及び第二ウォーム５０に対して長手方向に直交する方向に配置されることによって、アクチュエータ２０の前後方向の長さを短くすることができる。アクチュエータ２０の前後方向の長さを短くできれば、灯具１の前後方向の長さを短くすることができるので、車内空間を広くできる等の利益が得られる。
【０１３３】
次に、アクチュエータ２０のブラケット１５への取付方法について説明する。
【０１３４】
上述したように、アクチュエータ２０の筐体９０は、樽状凸部９３ｂ、被取付片９１ａ，９１ａ及び被取付片９４ｄ，９４ｄを有している。アクチュエータ２０をブラケット１５への取り付ける際、まず、図１に示すように、樽状凸部９３ｂをブラケット１５の貫通孔１５ａに挿入する。その後、樽状凸部９３ｂを支点としてアクチュエータ２０をブラケット１５側に押し付けるように回転させ、図３に示すように、被取付片９１ａ，９１ａ及び被取付片９４ｄ，９４ｄの貫通孔にボルト１５ｃを挿入して当該ボルト１５ｃをブラケット１５に螺入し、アクチュエータ２０をブラケット１５に固定することができる。このように、アクチュエータ２０は、コネクタ８４の両側に設けられる被取付片９１ａ，９１ａ及び被取付片９４ｄ，９４ｄと、コネクタ８４とは反対側に設けられる樽状凸部９３ｂとによって、３点でブラケット１５に支持される。
【０１３５】
次に、アクチュエータ２０及び灯具１の動作について説明する。
【０１３６】
図示していない電源回路からコネクタ８４を介してモータ６３に通電されモータ６３が回転すると、伝達ギア６２及び軸部材６１が連動して回転し、第一ウォーム４０に駆動力が伝達される。そして第一ウォーム４０が回転すると、第一ウォーム４０に歯合する斜歯歯車３４ａを有する出力軸部材３１が回転する。すなわち、出力軸３３が回転する。出力軸３３が回転することにより、接続用凸部２ｂを介して接続されているランプユニット２が回転する。このようにランプユニット２が回転することによって、ランプユニット２からの光の照射範囲が変えられる。図１５（Ａ）は、ランプユニット２が回転するときのランプユニット２からの光の照射範囲の変化を示す図である。例えば、当初実線で示されている位置をランプユニット２からの光が照らしている場合、出力軸３３を回転させてランプユニット２を回転させることにより、その回転方向に応じて破線又は点線で示す範囲を照らすことができる。
【０１３７】
一方、図示していない電源回路からコネクタ８４を介してモータ７３に通電されモータ７３が回転すると、伝達ギア７２及び軸部材７１が連動して回転し、第二ウォーム５０に駆動力が伝達される。そして第二ウォーム５０が回転すると、第二ウォーム５０に歯合する斜歯ラック３９を有する収容部材３５が回転軸３３ａに直交する方向に移動する。すなわち、出力軸３３が回転軸３３ａに直交する前後方向に移動する。出力軸３３がこのように移動することにより、接続用凸部２ｂを介して接続されているランプユニット２は被支持凸部２aを支点として前または後に振られる。このようにランプユニット２が前または後に振られることによって、ランプユニット２からの光の照射範囲が変えられる。図１５（Ｂ）は、ランプユニット２が前または後に振られるときのランプユニット２からの光の照射範囲の変化を示す図である。例えば、当初実線で示されている位置をランプユニット２からの光が照らしている場合、出力軸３３を前に移動させてランプユニット２を前に振ることにより、光の出射される方向が上げられて点線で示す範囲を照らすことができる。一方、出力軸３３を後に移動させてランプユニット２を後に振ることにより、光の出射される方向が下げられて破線で示す範囲を照らすことができる。
【０１３８】
なお、上記特許文献１のアクチュエータでは、出力軸を回転又は移動させるために、出力軸を挟んで設けられる一対のウォームが用いられている。これらのウォームは、出力軸を回転又は移動させるとき、出力軸の回転軸に直交する面内の回転軸周りに回転する。このウォームの回転は歯車等を介して所定の方向の力に変換されて出力軸へと伝わり、出力軸が回転又は移動する。また、上記特許文献１のアクチュエータでは、ウォームと出力軸を備える部材とは、ウォームと出力軸との間において出力軸の回転軸に平行な面内で接する。従って、ウォームが回転すると、出力軸の回転軸に対して平行に近い方向の力が出力軸に加わる。出力軸に加わるこのような力が大きくなると、出力軸にがたつきが生じる懸念がある。
【０１３９】
一方、上記のように、アクチュエータ２０において、第二ウォーム５０は、出力部３０に設けられる移動機構である斜歯ラック３９と歯合して出力軸３３の回転軸３３ａに直交する方向に出力軸３３を移動させる。斜歯ラック３９は、出力部３０と第二ウォーム５０との間において出力軸３３の回転軸３３ａに平行な面に形成される。従って、このように第二ウォーム５０によって出力軸３３を移動させるとき、第二ウォーム５０が回転し、出力軸３３には出力軸３３の回転軸３３ａに対して平行に近い方向の力が加えられる。しかし、アクチュエータ２０は、出力軸３３と第二ウォーム５０との距離が短いため、第二ウォーム５０から出力軸３３へと伝わる第二ウォーム５０の回転方向の力は小さく、出力軸３３のがたつきが抑制される。
【０１４０】
また、本実施形態のアクチュエータ２０では、出力軸３３を所定の方向に移動させる移動機構として、出力部３０に形成される斜歯ラック３９が用いられる。斜歯ラックは、当該斜歯ラックと歯合するウォームとの距離が近くても、当該斜歯ラックを備える部材と当該ウォームとの相対的な移動範囲を確保しやすい。よって、出力軸３３を所定の方向に移動させる移動機構として、出力部３０に形成される斜歯ラック３９が用いられることによって、斜歯ラック３９が出力軸３３に近い位置に設けられても出力軸３３の移動範囲を確保しやすくなる。従って、第二ウォーム５０と出力軸３３とを近づけ易くなるので、出力軸３３のがたつきを抑制することがより容易になる。
【０１４１】
また、本実施形態の灯具１は、ランプユニット２に接続されるアクチュエータ２０の出力軸３３のがたつきが上述したように抑制されることによって、ランプユニット２の動作の安定性が向上する。
【０１４２】
以上、本発明について好適な実施形態を例に説明したが、本発明はこれに限定されるものではない。例えば、移動機構は斜歯ラックに限定されない。ただし、上述したように移動機構として斜歯ラックを用いることにより、出力軸のがたつきを抑制し易くなる。また、移動機構として機能する斜歯ラックの形成位置は第二ウォームに歯合できる位置であれば特に限定されないが、上述したように斜歯ラックは出力軸と第二ウォームとを最短で結ぶ線上に形成されることが好ましい。また、電子部品の配置位置も限定されないが、アクチュエータの小型化や前後方向の長さを短くする等の観点からは、電子部品は上述した位置に設けられることが好ましい。
【０１４３】
また、上記実施形態の自動調心軸受機構では、軸受収容部のうち第一軸心方向に沿った一方側は、軸受が外部から軸受保持空間に到達するまでの区間において、少なくとも軸受に挿通される軸が通る幅で開放されている例を挙げて説明したが、軸受収容部が上記のように開放されていなくてもよい。ただし、軸受を容易に設置できる等の観点からは、上記のように軸受収容部の一部が開放されていることが好ましい。また、自動調心軸受機構を構成する軸受の外形は特に限定されない。さらに、自動調心軸受機構において第一軸心方向と第二軸心方向とは交わる方向であればよく、第一軸心方向と第二軸心方向とが直交する形態には限定されない。
【０１４４】
また、上記実施形態では車両用前照灯のアクチュエータに自動調心軸受機構を用いる場合を例示したが、自動調心軸受機構の用途及びのアクチュエータの用途は特に限定されない。
【０１４５】
また、上記実施形態では固定部材の外周面に複数の突起が形成される形態を例示して説明したが、本発明の固定部材は、回転部材を支持する支持体に係合可能な係合部を外周面に有していればよい。従って、例えば、支持体が凸部を有するとともに、固定部材の外周面に当該凸部に係合する凹部が形成される形態であってもよい。
【０１４６】
また、上記実施形態では固定部材が摺動する形態を例示して説明したが、本発明の固定部材は、摺動性を有する材料で構成される形態に限定されるものではない。また、上記実施形態では固定部材を車両用前照灯に用いる例を挙げたが、本発明の固定部材の用途は、長手方向に沿った回転軸の周りに回転する棒状の回転部材を支持体に回転可能に固定する用途であれば特に限定されない。
【０１４７】
また、上記実施形態では車両用前照灯にアクチュエータを用いる場合を例示したが、アクチュエータの用途は特に限定されない。
【０１４８】
以上のように、本発明によれば、シャフトの芯出しが容易な自動調心軸受機構、ウォームのような回転部材を精度良く固定できる固定部材、出力部のがたつきが抑制されるアクチュエータ、及び当該アクチュエータを備える灯具が提供される。これらの自動調心軸受機構、固定部材、アクチュエータ及び灯具は車両用前照灯等に好適に利用される。
【符号の説明】
【０１４９】
１・・・車両用前照灯（灯具）
２・・・ランプユニット
３・・・光源ユニット
１０・・・筐体
１５・・・ブラケット
２０・・・アクチュエータ
３０・・・出力部
３３・・・出力軸
３３ａ・・・回転軸
３４ａ・・・斜歯歯車（回転機構）
３５ｂ・・・軸受収容部
３５ｃ・・・軸受保持空間
３５ｅ・・・内壁
３９・・・斜歯ラック（移動機構）
４０・・・第一ウォーム
４５・・・固定部材
５０・・・第二ウォーム
６０・・・第一駆動機構
６４・・・固定部材
７０・・・第二駆動機構
８０・・・回路基板
８１，８２，８３・・・電子部品
９０・・・筐体
９１・・・筐体本体
９４・・・第一蓋部材
９５・・・第二蓋部材
１００・・ガイドシャフト
１０２・・・軸受
【図１】
2017110426.tif 000003
【図２】
2017110426.tif 000004
【図３】
2017110426.tif 000005
【図４】
2017110426.tif 000006
【図５】
2017110426.tif 000007
【図６】
2017110426.tif 000008
【図７】
2017110426.tif 000009
【図８】
2017110426.tif 000010
【図９】
2017110426.tif 000011
【図１０】
2017110426.tif 000012
【図１１】
2017110426.tif 000013
【図１２】
2017110426.tif 000014
【図１３】
2017110426.tif 000015
【図１４】
2017110426.tif 000016
【図１５】
2017110426.tif 000017
【国際調査報告】
2017110426.tif 000018
2017110426.tif 000019
2017110426.tif 000020
2017110426.tif 000021